(57)【要約】      （修正有）【課題】食事等に伴い発生する臭気を消臭すると共に飛散滴下する油脂分や汁液等の水分を確実に吸油吸水して着衣への臭気付着と汚損を着実に防止できるエプロンを提供する。【解決手段】上半身の前面を被う前身頃１４および上半身の背面を被う後身頃１６とこれらを肩に吊るす肩当て部１８とを有するメインエプロン１２１と、前身頃１４の外面を被い、かつメインエプロン１２１に着脱自在に装着されるサブエプロンとを備えている。メインエプロン１２１は、前身頃１４が吸水速乾繊維素材に撥水加工が施され、かつ後身頃１６が吸水速乾繊維素材に消臭加工が施されている。サブエプロンは紙又は布からなる。【選択図】図２
0003157905.tif 000002
【実用新案登録請求の範囲】
【請求項１】
上半身の前面を被う前身頃および前記上半身の背面を被う後身頃とこれらを肩に吊るす肩当て部とを有するメインエプロンと、
前記前身頃の外面を被い、かつ前記メインエプロンに着脱自在に装着されるサブエプロンとを備え、
前記メインエプロンは、前記前身頃が吸水速乾繊維素材に撥水加工が施され、かつ前記後身頃が吸水速乾繊維素材に消臭加工が施されてなり、
前記サブエプロンは紙又は布からなることを特徴とするエプロン。
【請求項２】
請求項１に記載のエプロンにおいて、
前記メインエプロンは、前記前身頃と前記後身頃がポリエステルメッシュからなり、かつ襟刳及び袖刳に縁取りを施したタンクトップタイプのシャツであることを特徴とするエプロン。
【請求項３】
請求項２に記載のエプロンにおいて、
前記メインエプロンの肩当て部が分断され、かつ分断されて相対する両端部に、当該両端部間を着脱自在に連結する面ファスナを設けたことを特徴とするエプロン。
【請求項４】
請求項２に記載のエプロンにおいて、
前記メインエプロンの脇の部分が袖刳から下に向かって分断され、かつ分断されて相対する両縁部に、当該両縁部を着脱自在に連結する連結部材を設けたことを特徴とするエプロン。
【請求項５】
請求項１に記載のエプロンにおいて、
前記メインエプロンは、前立てを有するベストと略同一形状をなし、前記前立ての相対する両縁部に、当該両縁部を着脱自在に連結する連結部材を設けたものであることを特徴とするエプロン。
【請求項６】
請求項１乃至５のいずれかに記載のエプロンにおいて、
前記メインエプロンの後身頃の外面及び又は前記サブエプロンの外面に、宣伝広告用の文字や模様を施したことを特徴とするエプロン。
【請求項７】
請求項１乃至６のいずれかに記載のエプロンにおいて、
前記サブエプロンは、前記メインエプロンの前身頃と比べて上部が略同一形状で、かつ襟刳が浅く設定された形状をなし、下部が長めに形成され、前記メインエプロンとの相対する複数箇所に互いに装着しうる面ファスナを設けたものであることを特徴とするエプロン。
【請求項８】
上半身の前面を被うメインエプロンと、
前記メインエプロンにクリップで連結される掛け紐と、
前記メインエプロンの前面を被い、かつ前記クリップにより前記メインエプロンと共に着脱自在に止められるサブエプロンとを備え、
前記メインエプロンは、吸水速乾繊維素材に撥水加工と消臭加工が施されてなり、
前記サブエプロンは紙又は布からなることを特徴とするエプロン。
【請求項９】
請求項８に記載のエプロンにおいて、
前記サブエプロン及び又は前記掛け紐の外面に、宣伝広告用の文字や模様を施したことを特徴とするエプロン。
【請求項１０】
請求項８又は９に記載のエプロンにおいて、
前記メインエプロンに、前記メインエプロンを折り畳んで収納しうる収納袋を配設したことを特徴とするエプロン。
【考案の詳細な説明】
【技術分野】
【０００１】
本考案は、主として飲食時等の衣類の汚れを防止すると共にその汚れから発生する臭気を消臭するのに用いるエプロンに関する。
【背景技術】
【０００２】
従来から、飲食時の食べ物の飛び散りやこぼし、飛散物等で大切な衣服が汚れるのを防止する対策として、使い捨ての紙エプロンが使用されている（特許文献１参照）。また、食事や給食或いは授乳時等において発生する臭気を消臭し、かつ飛散滴下する油脂や汁液による着衣の汚損を防止する、消臭及び吸油吸水性エプロンも案出されている（特許文献２参照）。
【先行技術文献】
【特許文献】
【０００３】
【特許文献１】特開平１１−１０７０１８号公報
【特許文献２】実用新案登録第３１０２０１６号公報
【考案の概要】
【考案が解決しようとする課題】
【０００４】
既知の従来の技術には、次のような解決すべき課題があった。
レストランや焼肉店等の飲食店では安価に入手できる紙エプロンが多く使用されているが、使用中に簡単に外れたり、食べ物の飛び散りやこぼしが紙エプロンを浸透してその内側の衣服まで汚してしまうことがある。また、消臭作用及び吸油吸水性の機能を有するエプロンは、安価に製作できるものではないので、汚れても簡単に使い捨てすることが躊躇される。また、従来のこの種のエプロンは、衣類の汚れ防止の機能が重要視されてファッション性が考慮されておらず、着用している格好に美的センスがあるとは言い難い。
【０００５】
本考案は上記の課題を解決するためになされたもので、食事等に伴い発生する臭気を消臭すると共に飛散滴下する油脂分や汁液等の水分を確実に吸油吸水して着衣への臭気付着と汚損を着実に防止できるエプロンを提供することを目的とする。
【課題を解決するための手段】
【０００６】
以下の構成はそれぞれ上記の課題を解決するための手段である。
〈構成１〉
上半身の前面を被う前身頃および前記上半身の背面を被う後身頃とこれらを肩に吊るす肩当て部とを有するメインエプロンと、前記前身頃の外面を被い、かつ前記メインエプロンに着脱自在に装着されるサブエプロンとを備え、前記メインエプロンは、前記前身頃が吸水速乾繊維素材に撥水加工が施され、かつ前記後身頃が吸水速乾繊維素材に消臭加工が施されてなり、前記サブエプロンは紙又は布からなることを特徴とするエプロン。
【０００７】
〈構成２〉
構成１に記載のエプロンにおいて、前記メインエプロンは、前記前身頃と前記後身頃がポリエステルメッシュからなり、かつ襟刳及び袖刳に縁取りを施したタンクトップタイプのシャツであることを特徴とするエプロン。
【０００８】
〈構成３〉
構成２に記載のエプロンにおいて、前記メインエプロンの肩当て部が分断され、かつ分断されて相対する両端部に、当該両端部間を着脱自在に連結する面ファスナを設けたことを特徴とするエプロン。
【０００９】
〈構成４〉
構成２に記載のエプロンにおいて、前記メインエプロンの脇の部分が袖刳から下に向かって分断され、かつ分断されて相対する両縁部に、当該両縁部を着脱自在に連結する連結部材を設けたことを特徴とするエプロン。
【００１０】
〈構成５〉
構成１に記載のエプロンにおいて、前記メインエプロンは、前立てを有するベストと略同一形状をなし、前記前立ての相対する両縁部に、当該両縁部を着脱自在に連結する連結部材を設けたものであることを特徴とするエプロン。
【００１１】
〈構成６〉
構成１乃至５のいずれかに記載のエプロンにおいて、前記メインエプロンの後身頃の外面及び又は前記サブエプロンの外面に、宣伝広告用の文字や模様を施したことを特徴とするエプロン。
【００１２】
〈構成７〉
構成１乃至６のいずれかに記載のエプロンにおいて、前記サブエプロンは、前記メインエプロンの前身頃と比べて上部が略同一形状で、かつ襟刳が浅く設定された形状をなし、下部が長めに形成され、前記メインエプロンとの相対する複数箇所に互いに装着しうる面ファスナを設けたものであることを特徴とするエプロン。
【００１３】
〈構成８〉
上半身の前面を被うメインエプロンと、前記メインエプロンにクリップで連結される掛け紐と、前記メインエプロンの前面を被い、かつ前記クリップにより前記メインエプロンと共に着脱自在に止められるサブエプロンとを備え、前記メインエプロンは、吸水速乾繊維素材に撥水加工と消臭加工が施されてなり、前記サブエプロンは紙又は布からなることを特徴とするエプロン。
【００１４】
〈構成９〉
構成８に記載のエプロンにおいて、前記サブエプロン及び又は前記掛け紐の外面に、宣伝広告用の文字や模様を施したことを特徴とするエプロン。
【００１５】
〈構成１０〉
構成８又は９に記載のエプロンにおいて、前記メインエプロンに、前記メインエプロンを折り畳んで収納しうる収納袋を配設したことを特徴とするエプロン。
【考案の効果】
【００１６】
〈構成１の効果〉
メインエプロンとサブエプロンとの二重構造とすることにより、食事等に伴い発生する臭気を消臭すると共に飛散滴下する油脂分や汁液等の水分を確実に吸油吸水して着衣への臭気付着と汚損を着実に防止できる。サブエプロンは表吸水、裏撥水の機能をもたせるコーティング処理等の必要がなく安価に入手できる。
〈構成２の効果〉
耐久性が良好であり繰り返しの使用に耐える。
〈構成３の効果〉
取り付けが簡単であり着心地もよい。
〈構成４の効果〉
利用者の体形に合わせて着用できる。
〈構成５の効果〉
利用者の体形に合わせて着用できる。
〈構成６の効果〉
飲食店等の外部での着用時に宣伝広告効果が期待できる。例えばロゴ化した文字や洒落た模様等を施すことによりファッショナブルな感覚で着用できる。
〈構成７の効果〉
サブエプロンの取付けが簡単であり、かつサブエプロンにより、メインエプロンの前襟刳周辺の汚れ等を防止する。メインエプロンもサブエプロンも再利用可能であるが、サブエプロンに比べてメインエプロンの再利用回数を多くすることができる。
〈構成８の効果〉
構造が簡単かつコンパクトで持ち運びが容易である。
〈構成９の効果〉
飲食店等の外部での着用時に宣伝広告効果が期待できる。例えばロゴ化した文字や洒落た模様等を施すことによりファッショナブルな感覚で着用できる。
〈構成１０の効果〉
常時整然とした形で携帯でき任意の場所で簡便に利用できる。
【図面の簡単な説明】
【００１７】
【図１】実施例１のエプロンを示す正面図である。
【図２】同エプロンを構成するメインエプロンを示す図で、（ａ）は正面図、（ｂ）は背面図である。
【図３】同エプロンを構成するサブエプロンを示す正面図である。
【図４】実施例２のエプロンを構成するメインエプロンを示す正面図である。
【図５】同メインエプロンの変形例を示す正面図である。
【図６】実施例３のエプロンを構成するメインエプロンを示す正面図である。
【図７】実施例４のエプロンを構成するメインエプロンを示す正面図である。
【図８】実施例５のエプロンを示す正面図である。
【図９】同エプロンの構成部品を示す図で、（ａ）は同エプロンを構成するメインエプロンを示す正面図、（ｂ）はその背面図、（ｃ）はメインエプロンの背面に取り付けられる収納袋を示す説明図、（ｄ）は同エプロンを構成する掛け紐とクリップとを示す説明図、（ｅ）は同エプロンを構成するサブエプロンを示す正面図である。
【考案を実施するための形態】
【００１８】
以下、本考案の実施の形態を実施例毎に詳細に説明する。
【実施例１】
【００１９】
図１は実施例１のエプロン１０１を示す正面図、図２の（ａ）は同エプロンを構成するメインエプロン１２１を示す正面図、（ｂ）はその背面図、図３は同エプロンを構成するサブエプロン２６１を示す正面図である。
【００２０】
エプロン１０１は、メインエプロン１２１と、メインエプロン１２１に着脱自在に装着されるサブエプロン２６１とにより構成されている。メインエプロン１２１は、利用者の上半身の前面を被う前身頃１４と、同上半身の背面を被う後身頃１６と、これらを肩に吊るす肩当て部１８とを有している。サブエプロン２６１は、前身頃１４の外面を被い、かつメインエプロン１２１に着脱自在に装着されるものである。
【００２１】
メインエプロン１２１は、例えば、前身頃１４と後身頃１６とがポリエステルメッシュからなり、かつ襟刳２０及び袖刳２２にそれぞれ耐久性を高める縁取りを施したタンクトップタイプのシャツである。
【００２２】
前身頃１４は吸水速乾繊維素材に撥水加工と消臭加工とが施されているが、コストを考慮した場合には消臭加工が省略されてもよい。後身頃１６は吸水速乾繊維素材に消臭加工が施されている。
【００２３】
撥水加工は表面張力の特性で空気や熱を通し、水や油のみを遮断する加工であり、空気や熱を通さない防水加工に比べて蒸れ易くなることはない。消臭加工とは、繊維が臭気成分と触れることにより、不快臭を減少させる効果を示す加工である。
【００２４】
吸水速乾性とは吸水性と乾燥性の２つの機能、性能を表す。吸水速乾性、撥水性、消臭性等の機能を得るためには、ポリエステル繊維の織物に、これらの機能を含む材料をコーティングする方法と、ポリエステル繊維の織物に、これらの機能を備えた繊維を含ませる方法がある。本考案においてはいずれの方法を採用されてもよい。
【００２５】
本考案においては前身頃１４と後身頃１６とを、次のような加工や繊維を採用して構成されてもよい。例えば、３ＸＤＲＹ（登録商標）加工を施すことにより、外側に撥水性を持たせながら内側は汗など水分を吸水し発散させる機能で格段に高い速乾性が得られる。
【００２６】
また、デオル繊維やコスメル（登録商標、ナイロン繊維を高分子段階で改質）繊維を使用することにより急速消臭性が得られる。また、モイスファイン（登録商標）を使用することにより良好な吸放湿性、抗菌性、防カビ性が得られる。
【００２７】
メインエプロン１２１は、その背面の頂部近傍に吊し紐３８が取り付けられて不使用時に壁等に装着されたフック（図示せず）等に吊るして保管できるようにされている。
【００２８】
サブエプロン２６１は、紙又は布製で、メインエプロン１２１の前身頃１４と比べて上部が略同一形状でかつ前襟刳２４が浅く設定された形状をなし、下部が長めにされて利用者が椅子に座ったときの腿上を被うことができる程度に形成されている。メインエプロン１２１との相対する複数箇所に、着脱自在に装着しうる面ファスナ２８が設けられている。
【００２９】
メインエプロン１２１の後身頃１６の外面、及び又はサブエプロン２６１の外面に、宣伝広告用の文字や模様４０、４２がそれぞれ施されている。これらの文字や模様４０、４２としては、店名やキャンペーンの表示等を直接プリントしたり、あるいはこれらを別布に描写したものを貼着することにより施される。
【００３０】
このとき、状況に応じてロゴ化した文字や洒落た模様を使用したり、よりカラフルにして目立つようにすることにより、ファッショナブルな感覚で着用できてその場の雰囲気を盛り上げたり、宣伝広告効果を一層高めることが期待できる。
【００３１】
サブエプロン２６１により、メインエプロン１２１の前襟刳２０周辺の汚れ等を防止する。メインエプロン１２１もサブエプロン２６１も再利用可能であるが、サブエプロン２６１に比べてメインエプロン１２１の再利用回数を多くすることができる。
【００３２】
実施例１によれば、メインエプロン１２１とサブエプロン２６１との二重構造とすることにより、食事等に伴い発生する臭気を消臭すると共に飛散滴下する油脂分や汁液等の水分を確実に吸油吸水して着衣への臭気付着と汚損を着実に防止できる。サブエプロン２６１は表吸水、裏撥水の機能をもたせるコーティング処理等の必要がなく安価に入手できる。
【実施例２】
【００３３】
図４は実施例２のエプロンを構成するメインエプロン１２２を示す正面図、図５はメインエプロン１２２の変形例を示す正面図で、図１と同一部分には同一符号を付して重複説明を省略する。
【００３４】
実施例２のエプロンは、肩当て部１８が分断され、かつ分断されて相対する両端部に、当該両端部間を着脱自在に連結する面ファスナ３０を設けたメインエプロン１２２を用いたものである。その他の構成は実施例１と同じである。
【００３５】
メインエプロン１２２は、図５に示すように、前身頃の下部１４２が利用者の腿上を被うことができる程度に長めに形成されてもよい。
【００３６】
メインエプロン１２２に装着されるサブエプロン（図示せず）は、図３に示したものと同じものが使用される。
【００３７】
メインエプロン１２２及びサブエプロンの素材は、実施例１のメインエプロン１２１及びサブエプロン２６１の素材とそれぞれ同一であり、重複説明を省略する。
【実施例３】
【００３８】
図６は実施例３のエプロンを構成するメインエプロン１２３を示す正面図で、図１と同一部分には同一符号を付して重複説明を省略する。
【００３９】
実施例３のエプロンは、脇の部分が袖刳２２から下に向かって分断され、かつ分断されて相対する両縁部に、当該両縁部を着脱自在に連結する連結部材３２を設けたメインエプロン１２３を用いたものである。その他の構成は実施例１と同じである。
【００４０】
このメインエプロン１２３に装着されるサブエプロン（図示せず）は図３に示したものと同じものが使用される。
【００４１】
メインエプロン１２３及びサブエプロンの素材は、実施例１のメインエプロン１２１及びサブエプロン２６１の素材と同一であり、重複説明を省略する。
【００４２】
メインエプロン１２３の一方の脇の部分が袖刳２２から下に向かって分断されていることにより、利用者の体形に合わせて着用できる。
【実施例４】
【００４３】
図７は実施例４のエプロンを構成するメインエプロン１２４を示す正面図で、図１と同一部分には同一符号を付して重複説明を省略する。
【００４４】
実施例４のエプロンは、前立てを有するベストと略同一形状をなし、前立ての相対する両縁部３４ａ、３４ｂ間に、当該両縁部を着脱自在に連結する連結部材３６を設けたメインエプロン１２４を用いたものである。その他の構成は実施例１と同じである。
【００４５】
このメインエプロン１２４に装着されるサブエプロン（図示せず）は図３に示したものと同じものが使用される。
【００４６】
メインエプロン１２４とサブエプロンの素材は、実施例１のメインエプロン１２１及びサブエプロン２６１の素材と同一であり、重複説明を省略する。
【００４７】
メインエプロン１２４が前立てを有するベストと略同一形状をなしていることにより、着易くて利用者の体形に合わせて着用できる。
【実施例５】
【００４８】
図８は実施例５のエプロン１０５を示す正面図、図９の（ａ）は同エプロンを構成するメインエプロン１２５を示す正面図、（ｂ）はメインエプロン１２５を示す背面図、（ｃ）はメインエプロン１２５の背面に取り付けられる収納袋を示す説明図、（ｄ）は同エプロンを構成する掛け紐とクリップとを示す説明図、（ｅ）は同エプロンを構成するサブエプロン２６５を示す正面図である。
【００４９】
エプロン１０５は、上半身の前面を被うメインエプロン１２５と、メインエプロン１２５にクリップ４３で連結される掛け紐４４と、メインエプロン１２５の前面を被い、かつクリップ４３によりメインエプロン１２５と共に着脱自在に止められるサブエプロン２６５とを備えている。
【００５０】
メインエプロン１２５は、吸水速乾繊維素材に撥水加工と消臭加工が施されてなるものである。メインエプロン１２５は、例えば、外側をポリエステルメッシュ、内側をポリエステルタフタにより２層構造とする。メインエプロン１２５に吸水速乾性、撥水性、消臭性等の機能を得るためには、上記したメインエプロン１２１の場合と同様の方法を採用すればよい。
【００５１】
メインエプロン１２５の背面にはメインエプロン１２５を折り畳んで収納しうる収納袋４６が縫い付けられている。収納袋４６は、図９（ｃ）に示しているが、これに限らずにメインエプロン１２５を折り畳んで収納しうるものであれば任意形状のものでよい。
【００５２】
図９（ｄ）に、掛け紐４４とクリップ４３を示している。掛け紐４４は、使用時に利用者の首に掛けられるものなので、触感が柔らかい素材で形成されていることが好ましい。クリップ４３は、使用時にメインエプロン１２５とサブエプロン２６５とを一緒に挟んで止めるものなので、簡易かつ挟み易い構成であることが好ましい。
【００５３】
図９（ｅ）に、サブエプロン２６５を示している。サブエプロン２６５は、紙又は布製でメインエプロン１２５と略同じ大きさに形成されている。サブエプロン２６５の外面に、宣伝広告用の文字や模様４８が施されている。
【００５４】
図示しないが、掛け紐４４の外面にも、宣伝広告用の文字や模様４８がそれぞれ施されている。これらの文字や模様４８としては、店名やキャンペーンの表示等を直接プリントしたり、あるいはこれらを別布に描写したものを貼着することにより施される。
【００５５】
このとき、前述した実施例と同様に、状況に応じてロゴ化した文字や洒落た模様を使用したり、よりカラフルにして目立つようにすることにより、ファッショナブルな感覚で着用できてその場の雰囲気を盛り上げたり、宣伝広告効果を一層高めることが期待できる。
【００５６】
エプロン１０５は、構造が簡単かつコンパクトであり、不使用時にはメインエプロン１２５及びまたはサブエプロン２６５を収納袋４６に収容できるので、常時整然とした形で携帯でき任意の場所で簡便に利用できる。
【符号の説明】
【００５７】
１０１  エプロン（実施例１）
１０５  エプロン（実施例５）
１２１  メインエプロン（実施例１）
１２２  メインエプロン（実施例２）
１２３  メインエプロン（実施例３）
１２４  メインエプロン（実施例４）
１２５  メインエプロン（実施例５）
１４  前身頃
１４２  前身頃の下部
１６  後身頃
１８  肩当て部
２０  襟刳
２２  袖刳
２４  襟刳
２６１  サブエプロン（実施例１）
２６５  サブエプロン（実施例５）
２８  面ファスナ
３０  面ファスナ
３２  連結部材
３４ａ、３４ｂ  前立ての縁部
３６  連結部材
３８  吊し紐
４０  文字や模様
４２  文字や模様
４３  クリップ
４４  掛け紐
４６  収納袋
４８  文字や模様
【図１】
0003157905.tif 000003
【図２】
0003157905.tif 000004
【図３】
0003157905.tif 000005
【図４】
0003157905.tif 000006
【図５】
0003157905.tif 000007
【図６】
0003157905.tif 000008
【図７】
0003157905.tif 000009
【図８】
0003157905.tif 000010
【図９】
0003157905.tif 000011